(57)【要約】【課題】電極配線が外部で認識されないように、ディスプレイが特定の光をベゼル領域に出力することで、ウィンドウの印刷部を最大限に省略することができるタッチパネルを提供する。【解決手段】本発明によるタッチパネル１００は、アクティブ領域Ａと、アクティブ領域Ａの縁部に備えられたベゼル領域Ｂとに区画される透明基板１０５と、アクティブ領域Ａに形成される電極パターン１１０と、電極パターン１１０に連結されるようにベゼル領域Ｂに形成される電極配線１２０と、ベゼル領域Ｂに特定の光を出力するディスプレイ１３０と、を含む構成を有する。【選択図】図１
2014063466.tif 000002
【特許請求の範囲】
【請求項１】
アクティブ領域と、前記アクティブ領域の縁部に備えられたベゼル領域とに区画される透明基板と、
前記アクティブ領域に形成される電極パターンと、
前記電極パターンに連結されるように前記ベゼル領域に形成される電極配線と、
前記ベゼル領域に特定の光を出力するディスプレイと、
を含むタッチパネル。
【請求項２】
前記ディスプレイが出力する前記特定の光の色相は、カラーネームチャート（Ｃｏｌｏｒ  ｎａｍｅ  ｃｈａｒｔｓ）の１６進トリプレット（Ｈｅｘ  ｔｒｉｐｌｅｔ）値を基準として、＃００００００、＃８２８２８２、＃８ｃ８ｃ８ｃ、＃９６９６９６、＃ａ０ａ０ａ０、＃ａａａａａａ、＃ｂ４ｂ４ｂ４、＃ｂｅｂｅｂｅ、＃ｃ８ｃ８ｃ８、＃ｄ２ｄ２ｄ２、＃ｄｃｄｃｄｃ、＃２８２８２８、＃３２３２３２、＃３ｃ３ｃ３ｃ、＃４６４６４６、＃５０５０５０、＃５ａ５ａ５ａ、＃６４６４６４、＃６ｅ６ｅ６ｅ、＃７８７８７８、＃ＦＦＦＦＦＦ、＃００ＢＦＦＦ、＃ＦＦＣ０ＣＢまたは＃ＦＦ１４９３である請求項１に記載のタッチパネル。
【請求項３】
前記ディスプレイは、前記透明基板の縁部の長辺両側に備えられた前記ベゼル領域のみに前記特定の光を出力する請求項１に記載のタッチパネル。
【請求項４】
前記透明基板を基準として前記ディスプレイの反対面に備えられたウィンドウ（Ｗｉｎｄｏｗ）をさらに含む請求項１に記載のタッチパネル。
【請求項５】
前記ウィンドウにおいて、前記透明基板の縁部の短辺両側に備えられた前記ベゼル領域に対応する領域に印刷部が形成される請求項４に記載のタッチパネル。
【請求項６】
前記透明基板及び前記ウィンドウは、第１接着層で接着することで結合される請求項４に記載のタッチパネル。
【請求項７】
前記透明基板及び前記ディスプレイは、第２接着層で接着することで結合される請求項１に記載のタッチパネル。
【請求項８】
前記電極パターン及び前記電極配線は、一体に形成される請求項１に記載のタッチパネル。
【請求項９】
前記電極パターンは、
前記透明基板の一面に形成される第１電極パターンと、
前記透明基板の他面に形成される第２電極パターンと、
を含む請求項１に記載のタッチパネル。
【請求項１０】
前記電極配線は、
前記第１電極パターンに連結されるように前記透明基板の一面に形成される第１電極配線と、
前記第２電極パターンに連結されるように前記透明基板の他面に形成される第２電極配線と、
を含む請求項９に記載のタッチパネル。
【請求項１１】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチパネル。
【請求項１２】
前記電極パターンは、銀塩乳剤層を露光／現像して形成された金属銀からなる請求項１に記載のタッチパネル。
【請求項１３】
前記電極パターンには、黒化処理が施される請求項１に記載のタッチパネル。
【請求項１４】
前記電極配線には、黒化処理が施される請求項１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式及び静電容量方式のタッチパネルである。
【０００７】
一方、従来技術によるタッチパネルは、特許文献１に開示されたように、タッチ座標を認識する透明電極と、透明電極に連結された電極配線と、を含む。この際、外部で電極配線が識別されないように、最外角に備えられたガラス（Ｇｌａｓｓ）には、印刷部が形成される。しかし、印刷部を印刷するためには、多くの困難があり、費用がかかる。また、印刷部の段差により、最外角に備えられたガラスと透明電極が形成された透明基板を接着層で接着する際に気泡が生じるため、気泡を脱泡するために、オートクレーブ（Ａｕｔｏ  Ｃｌａｖｅ）の圧力を無理に高めなければならない問題点が存在する。さらに、印刷部の段差を吸収するために、接着層の厚さが厚い必要があるため、光の透過率が低下し得る問題点も存在する。
【先行技術文献】
【特許文献】
【０００８】
【特許文献１】米国特許出願公開第２０１１／０２９８７２８号明細書
【発明の概要】
【発明が解決しようとする課題】
【０００９】
本発明は、前記のような問題点を解決するために導き出されたものであり、本発明の目的は、電極配線が外部で認識されないように、ディスプレイが特定の光をベゼル領域に出力することで、ウィンドウの印刷部を最大限に省略することができるタッチパネルを提供することにある。
【課題を解決するための手段】
【００１０】
本発明の実施例によるタッチパネルは、アクティブ領域と、前記アクティブ領域の縁部に備えられたベゼル領域とに区画される透明基板と、前記アクティブ領域に形成される電極パターンと、前記電極パターンに連結されるように前記ベゼル領域に形成される電極配線と、前記ベゼル領域に特定の光を出力するディスプレイと、を含む構成を有する。
【００１１】
また、本発明の実施例によるタッチパネルにおいて、前記ディスプレイが出力する前記特定の光の色相は、カラーネームチャート（Ｃｏｌｏｒ  ｎａｍｅ  ｃｈａｒｔｓ）の１６進トリプレット（Ｈｅｘ  ｔｒｉｐｌｅｔ）値を基準として、＃００００００、＃８２８２８２、＃８ｃ８ｃ８ｃ、＃９６９６９６、＃ａ０ａ０ａ０、＃ａａａａａａ、＃ｂ４ｂ４ｂ４、＃ｂｅｂｅｂｅ、＃ｃ８ｃ８ｃ８、＃ｄ２ｄ２ｄ２、＃ｄｃｄｃｄｃ、＃２８２８２８、＃３２３２３２、＃３ｃ３ｃ３ｃ、＃４６４６４６、＃５０５０５０、＃５ａ５ａ５ａ、＃６４６４６４、＃６ｅ６ｅ６ｅ、＃７８７８７８、＃ＦＦＦＦＦＦ、＃００ＢＦＦＦ、＃ＦＦＣ０ＣＢまたは＃ＦＦ１４９３である。
【００１２】
また、本発明の実施例によるタッチパネルにおいて、前記ディスプレイは、前記透明基板の縁部の長辺両側に備えられた前記ベゼル領域のみに前記特定の光を出力する。
【００１３】
また、本発明の実施例によるタッチパネルにおいて、前記透明基板を基準として前記ディスプレイの反対面に備えられたウィンドウ（Ｗｉｎｄｏｗ）をさらに含む。
【００１４】
また、本発明の実施例によるタッチパネルにおいて、前記ウィンドウにおいて、前記透明基板の縁部の短辺両側に備えられた前記ベゼル領域に対応する領域に印刷部が形成される。
【００１５】
また、本発明の実施例によるタッチパネルにおいて、前記透明基板及び前記ウィンドウは、第１接着層で接着することで結合される。
【００１６】
また、本発明の実施例によるタッチパネルにおいて、前記透明基板及び前記ディスプレイは、第２接着層で接着することで結合される。
【００１７】
また、本発明の実施例によるタッチパネルにおいて、前記電極パターン及び前記電極配線は、一体に形成される。
【００１８】
また、本発明の実施例によるタッチパネルにおいて、前記電極パターンは、前記透明基板の一面に形成される第１電極パターンと、前記透明基板の他面に形成される第２電極パターンと、を含む。
【００１９】
また、本発明の実施例によるタッチパネルにおいて、前記電極配線は、前記第１電極パターンに連結されるように前記透明基板の一面に形成される第１電極配線と、前記第２電極パターンに連結されるように前記透明基板の他面に形成される第２電極配線と、を含む。
【００２０】
また、本発明の実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００２１】
また、本発明の実施例によるタッチパネルにおいて、前記電極パターンは、銀塩乳剤層を露光／現像して形成された金属銀からなる。
【００２２】
また、本発明の実施例によるタッチパネルにおいて、前記電極パターンには、黒化処理が施される。
【００２３】
また、本発明の実施例によるタッチパネルにおいて、前記電極配線には、黒化処理が施される。
【発明の効果】
【００２４】
本発明によると、電極配線が外部で認識されないように、ディスプレイが特定の光をベゼル領域に出力し、ウィンドウの印刷部を最大限に省略することで、印刷部を形成するための費用を節約することができる効果がある。
【００２５】
また、本発明によると、ウィンドウの印刷部を最大限に省略することで、最外角に配置されたウィンドウと透明基板を接着する際に印刷部の段差によって気泡が生じることを最小化することができ、これにより、気泡を脱泡するためにオートクレーブ（Ａｕｔｏ  Ｃｌａｖｅ）の圧力を無理に高める必要がないという利点がある。
【００２６】
また、本発明によると、ウィンドウの印刷部を最大限に省略することで、最外角に配置されたウィンドウと透明基板を接着する際に相対的に厚さの薄い接着層で印刷部の段差を吸収することができ、これにより、光の透過率を高めることができる効果がある。
【図面の簡単な説明】
【００２７】
【図１】本発明の実施例によるタッチパネルの分解斜視図である。
【図２】図１のＤ−Ｄ´に沿って切断したタッチパネルの断面図である。
【図３】図１のＥ−Ｅ´に沿って切断したタッチパネルの断面図である。
【図４】本発明の実施例によるタッチパネルの作動過程を図示した平面図である。
【図５】本発明の実施例によるタッチパネルの作動過程を図示した平面図である。
【発明を実施するための形態】
【００２８】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２９】
以下、添付図面を参照して、本発明の好ましい実施例を詳細に説明する。
【００３０】
図１は、本発明の実施例によるタッチパネルの分解斜視図であり、図２は、図１のＤ−Ｄ´に沿って切断したタッチパネルの断面図であり、図３は、図１のＥ−Ｅ´に沿って切断したタッチパネルの断面図である。
【００３１】
図１から図３に図示されたように、本実施例によるタッチパネル１００は、アクティブ領域Ａと、アクティブ領域Ａの縁部に備えられたベゼル領域Ｂとに区画される透明基板１０５と、アクティブ領域Ａに形成される電極パターン１１０と、電極パターン１１０に連結されるようにベゼル領域Ｂに形成される電極配線１２０と、ベゼル領域Ｂに特定の光を出力するディスプレイ１３０（Ｄｉｓｐｌａｙ）と、を含む構成を有する。
【００３２】
前記透明基板１０５は、電極パターン１１０及び電極配線１２０が形成される領域を提供する機能を果たす。ここで、透明基板１０５は、アクティブ領域Ａとベゼル領域Ｂとに区画されるが、アクティブ領域Ａは入力手段のタッチを認識するために電極パターン１１０が形成される部分であって、透明基板１０５の中心に備えられ、ベゼル領域Ｂは電極パターン１１０と通電する電極配線１２０が形成される部分であって、アクティブ領域Ａの縁部に備えられる。この際、透明基板１０５は、電極パターン１１０及び電極配線１２０を支持するための支持力と、ディスプレイ１３０で提供する画像をユーザが認識するための透明性を備えなければならない。前記支持力及び透明性を考慮すると、透明基板１０５は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。
【００３３】
一方、透明基板１０５の表面を活性化させるために、高周波処理またはプライマー（Ｐｒｉｍｅｒ）処理を施すことができる。このように、透明基板１０５の表面を活性化させることで、透明基板１０５と電極パターン１１０との間の接着力を向上させることができる。
【００３４】
前記電極パターン１１０は、ユーザがタッチする際に信号を発生させて、コントローラでタッチ座標を認識できるようにする機能を果たす。ここで、電極パターン１１０は、透明基板１０５のアクティブ領域Ａに形成される。また、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いて、メッシュパターン（Ｍｅｓｈ  Ｐａｔｔｅｒｎ）に形成することができる。この際、電極パターン１１０は、メッキ工程またはスパッタ（Ｓｐｕｔｔｅｒ）を用いた蒸着工程で形成することができる。一方、電極パターン１１０を銅（Ｃｕ）などの金属で形成する場合、電極パターン１１０の表面に黒化処理を施すことができる。ここで、黒化処理とは、電極パターン１１０の表面を酸化させてＣｕ２ＯまたはＣｕＯなどを析出させることであり、Ｃｕ２Ｏはブラウンオキサイド（Ｂｒｏｗｎ  Ｏｘｉｄｅ）とし、ＣｕＯはブラックオキサイド（Ｂｌａｃｋ  Ｏｘｉｄｅ）とする。このように、電極パターン１１０の表面に黒化処理を施すことで、光が反射することを防止することができ、これにより、タッチパネル１００の視認性を改善させることができる利点がある。
【００３５】
一方、上述した金属の他にも、電極パターン１１０は、銀塩乳剤層を露光／現像して形成された金属銀、ＩＴＯ（Ｉｎｄｉｕｍ  Ｔｉｎ  Ｏｘｉｄｅ）などの金属酸化物、または柔軟性に優れ、コーティング工程が単純なＰＥＤＯＴ／ＰＳＳなどの伝導性高分子を用いて形成することもできる。または、ＩＴＯ（Ｉｎｄｉｕｍ  Ｔｉｎ  Ｏｘｉｄｅ）、ＰＥＤＯＴ／ＰＳＳ、ＣＮＴ（Ｃａｒｂｏｎ  Ｎａｎｏｔｕｂｅ）、グラフェン（Ｇｒａｐｈｅｎｅ）、ＺｎＯ（Ｚｉｎｃ  Ｏｘｉｄｅ）またはＡＺＯ（Ａｌ−ｄｏｐｅｄ  Ｚｉｎｃ  Ｏｘｉｄｅ）などを用いて形成することができる。
【００３６】
また、電極パターン１１０は、図面において棒状パターンに形成されているが、これに限定されず、電極パターン１１０は、菱形パターン、四角形パターン、三角形パターン、円形パターンなど当業界に公知された全てのパターンに形成されることができる。また、電極パターン１１０は、透明基板１０５の一面に形成される第１電極パターン１１３と、透明基板１０５の他面に形成される第２電極パターン１１５と、を含むことができるが、必ずしもこれに限定されず、様々に構成されることができる。
【００３７】
前記電極配線１２０は、電極パターン１１０に連結され、電極パターン１１０から電気的信号を送／受信する機能を果たす。ここで、電極配線１２０は、ベゼル領域Ｂに形成される。この際、電極配線１２０は、電極パターン１１０と一体に形成することで、製造工程を簡素化し、リードタイム（Ｌｅａｄ  Ｔｉｍｅ）を短縮することができる。また、電極配線１２０と電極パターン１１０を一体に形成することで、電極配線１２０と電極パターン１１０の接合工程を省略することができ、これにより、電極配線１２０と電極パターン１１０との間の段差発生や接合不良の問題を予め防止することができる効果がある。
【００３８】
また、電極パターン１１０が透明基板１０５の一面に形成される第１電極パターン１１３と、透明基板１０５の他面に形成される第２電極パターン１１５と、を含む場合、電極配線１２０は、第１電極パターン１１３に連結される第１電極配線１２３と、第２電極パターン１１５に連結される第２電極配線１２５と、を含むことができる。この際、第１電極配線１２３は透明基板１０５の一面に形成され、第２電極配線１２５は透明基板１０５の他面に形成される。
【００３９】
一方、電極配線１２０を銅（Ｃｕ）などの金属で形成する場合、電極配線１２０の表面には、電極パターン１１０の表面と同様に黒化処理が施され、黒化層１２７（図２の拡大図参照）を形成することができる。黒化層１２７は、相対的に暗い色相を有するため、ディスプレイ１３０から電極配線１２０が形成されるベゼル領域Ｂに黒色の光を出力すると、電極配線１２０が外部で認識されることにより、効果的に防止することができるが、これに関する具体的な説明は後述する。
【００４０】
前記ディスプレイ１３０は、画像を出力する機能を果たし、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）またはＣＲＴ（Ｃａｔｈｏｄ  Ｒａｙ  Ｔｕｂｅ）などを含むものである。ここで、ディスプレイ１３０は、光学透明接着剤（Ｏｐｔｉｃａｌ  Ｃｌｅａｒ  Ａｄｈｅｓｉｖｅ；ＯＣＡ）などの第２接着層１６０により、前記透明基板１０５に接着することで結合されることができる。また、ディスプレイ１３０は、透明基板１０５のアクティブ領域Ａに通常の画像を出力するだけでなく、透明基板１０５のベゼル領域Ｂに特定の光のみを出力し続ける。この際、ディスプレイ１３０からベゼル領域Ｂに出力する特定の光は、ベゼル領域Ｂの電極配線１２０が外部で認識されないようにする機能を果たす。
【００４１】
図４から図５は、本発明の実施例によるタッチパネルの作動過程を図示した平面図であり、これを参照してタッチパネル１００の作動過程について具体的に説明する。
【００４２】
先ず、図４に図示されたように、タッチパネル１００の作動前には、ディスプレイ１３０が特定の光をベゼル領域Ｂに出力しないため、電極配線１２０が視覚的に認識され得る。但し、タッチパネル１００の作動前であるため、ディスプレイ１３０が通常の画像もまたアクティブ領域Ａに出力せず、電極配線１２０の周りが非常に暗いため、実際には電極配線１２０が視覚的に認識されない。以降、図５に図示されたように、タッチパネル１００を作動した後には、ディスプレイ１３０が特定の光をベゼル領域Ｂに出力するため、特定の光によって、電極配線１２０が視覚的に認識されない。前記特定の光が暗い色相である場合、電極配線１２０が視覚的に認識されない効果が大きいため、特定の光の色相は、例えば、黒色であることが好ましい。特に、ディスプレイ１３０が出力する特定の光の色相が黒色であり、電極配線１２０に黒化処理が施されて黒化層１２７が形成された場合（図２参照）、特定の光と黒化層１２７は、両方とも暗い色相を有するため、電極配線１２０が外部で認識されることをより効果的に防止することができる。
【００４３】
ここで、黒色の光は、カラーネームチャート（Ｃｏｌｏｒ  ｎａｍｅ  ｃｈａｒｔｓ）の１６進トリプレット（Ｈｅｘ  ｔｒｉｐｌｅｔ）値を基準として＃００００００である。特定の光の色相は黒色の他にも暗い色相であってもよく、暗い色相は、カラーネームチャートの１６進トリプレット値を基準として見ると、＃８２８２８２、＃８ｃ８ｃ８ｃ、＃９６９６９６、＃ａ０ａ０ａ０、＃ａａａａａａ、＃ｂ４ｂ４ｂ４、＃ｂｅｂｅｂｅ、＃ｃ８ｃ８ｃ８、＃ｄ２ｄ２ｄ２、＃ｄｃｄｃｄｃ、＃２８２８２８、＃３２３２３２、＃３ｃ３ｃ３ｃ、＃４６４６４６、＃５０５０５０、＃５ａ５ａ５ａ、＃６４６４６４、＃６ｅ６ｅ６ｅまたは＃７８７８７８であることができる。
【００４４】
但し、特定の光の色相は、必ずしも黒色または暗い色相である必要はなく、白色、ディップスカイブルー（Ｄｅｅｐｓｋｙｂｌｕｅ）、ピンク（Ｐｉｎｋ）またはディップピンク（Ｄｅｅｐｐｉｎｋ）などであってもよい。前記色相をカラーネームチャートの１６進トリプレット値を基準として見ると、白は＃ＦＦＦＦＦＦであり、ディップスカイブルー（Ｄｅｅｐｓｋｙｂｌｕｅ）は＃００ＢＦＦＦであり、ピンク（Ｐｉｎｋ）は＃ＦＦＣ０ＣＢであり、ディップピンク（Ｄｅｅｐｐｉｎｋ）は＃ＦＦ１４９３である。
【００４５】
上述したように、ディスプレイ１３０が特定の光をベゼル領域Ｂに出力して電極配線１２０が外部で認識されることを防止すると、従来の電極配線１２０を隠すためにウィンドウ１５０に形成される印刷部１５５（図３参照）を完全に省略したり、少なくとも一部分を省略することができる。従って、本実施例によるタッチパネル１００は、ウィンドウ１５０に印刷部１５５を形成するための費用を節約することができる効果を有する。
【００４６】
一方、図１から図３に図示されたように、透明基板１０５を基準としてディスプレイ１３０の反対面には、ウィンドウ１５０（Ｗｉｎｄｏｗ）を備えることができる。ここで、ウィンドウ１５０は、タッチパネル１００の最外角に備えられ、入力手段のタッチを収容する機能を果たす。また、ウィンドウ１５０は、ガラスまたは強化ガラスなどで形成することができるが、必ずしもこれに限定されるものではない。一方、ディスプレイ１３０が特定の光をベゼル領域Ｂに出力して電極配線１２０が外部で認識されることを防止するため、通常、電極配線１２０を隠すために、ウィンドウ１５０に形成される印刷部１５５を省略することができる。但し、図示されたように、ロゴ（Ｌｏｇｏ）などを表示したり、作動ボタンなどが備えられる領域を確保するために、透明基板１０５の縁部の短辺両側に備えられたベゼル領域Ｂ２に対応する領域Ｃには、印刷部１５５を形成することができる。即ち、ウィンドウ１５０の上下の縁部には印刷部１５５が形成され、ウィンドウ１５０の左右の縁部には印刷部１５５が形成されてなくてもよい（図１参照）。このように、透明基板１０５の縁部の短辺両側に備えられたベゼル領域Ｂ２に対応する領域Ｃに印刷部１５５が形成される場合、透明基板１０５の縁部の短辺両側に備えられたベゼル領域Ｂ２に形成される電極配線１２０は、印刷部１５５によって隠される（図３参照）。従って、ディスプレイ１３０は、透明基板１０５の縁部の長辺両側に備えられたベゼル領域Ｂ１のみに特定の光を出力することができる（図２参照）。但し、印刷部１５５が透明基板１０５の縁部の短辺両側に備えられたベゼル領域Ｂ２に対応する領域Ｃに形成されることは、例示にすぎず、印刷部１５５が必要に応じて完全に省略されたり、どこにでも形成されることができることは言うまでもない。一方、印刷部１５５は、例えば、カラーインクをスクリーンプリンティング（Ｓｃｒｅｅｎ  Ｐｒｉｎｔｉｎｇ）などで印刷して形成することができるが、これに限定されるものではない。
【００４７】
また、ウィンドウ１５０は、光学透明接着剤（Ｏｐｔｉｃａｌ  Ｃｌｅａｒ  Ａｄｈｅｓｉｖｅ；ＯＣＡ）などの第１接着層１４０で透明基板１０５に接着することで結合させることができるが、本実施例によるタッチパネル１００は、上述したように、ディスプレイ１３０が特定の光をベゼル領域Ｂに出力することで、ウィンドウ１５０に形成される印刷部１５５を最大限に省略することができる。従って、ウィンドウ１５０及び透明基板１０５を第１接着層１４０で接着させる場合、印刷部１５５の段差によって気泡が生じることを最小化することができ、これにより、気泡を脱泡するためにオートクレーブ（Ａｕｔｏ  Ｃｌａｖｅ）の圧力を無理に高める必要はない。例えば、従来のタッチパネルは、オートクレーブで３０分以上気泡を脱泡しなければならないが、本実施例によるタッチパネル１００は、オートクレーブで１０分程度のみ気泡を脱泡すれば良い。また、本実施例によるタッチパネル１００は、ウィンドウ１５０の印刷部１５５を最大限に省略することで、ウィンドウ１５０と透明基板１０５を接着する際に相対的に厚さの薄い第１接着層１４０でも印刷部１５５の段差を吸収することができ、これにより、光の透過率を高めることができる効果がある。
【００４８】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４９】
本発明の単純な変形乃至変更はいずれも本発明の領域に属するものであり、本発明の具体的な保護範囲は添付の特許請求の範囲により明確になるであろう。
【産業上の利用可能性】
【００５０】
本発明は、タッチパネルに適用可能である。
【符号の説明】
【００５１】
１００  タッチパネル
１０５  透明基板
１１０  電極パターン
１１３  第１電極パターン
１１５  第２電極パターン
１２０  電極配線
１２３  第１電極配線
１２５  第２電極配線
１２７  黒化層
１３０  ディスプレイ
１４０  第１接着層
１５０  ウィンドウ
１５５  印刷部
１６０  第２接着層
Ａ  アクティブ領域
Ｂ  ベゼル領域
Ｂ１  透明基板の縁部の長辺両側に備えられたベゼル領域
Ｂ２  透明基板の縁部の短辺両側に備えられたベゼル領域
Ｃ  透明基板の縁部の短辺両側に備えられたベゼル領域に対応する領域
【図１】
2014063466.tif 000003
【図２】
2014063466.tif 000004
【図３】
2014063466.tif 000005
【図４】
2014063466.tif 000006
【図５】
2014063466.tif 000007